【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
３次元空間における仮想オブジェクトの位置の情報を用いて、表示装置に前記仮想オブジェクトを表示する情報処理装置であって、
複数の現実物体の位置の情報を取得する取得手段と、
前記取得手段により取得された位置の情報に基づいて現実物体同士の接近を検知した場合に、接近する前に比べて当該現実物体の少なくとも１つが容易に認識可能となるように仮想オブジェクトを表示制御する制御手段と、
を備えることを特徴とする情報処理装置。
【請求項２】
３次元空間における仮想オブジェクトの位置の情報を用いて、表示装置に前記仮想オブジェクトを表示する情報処理装置であって、
現実物体の位置の情報を取得する取得手段と、
前記仮想オブジェクトの位置の情報と、前記取得手段により取得された現実物体の位置の情報とに基づいて、前記仮想オブジェクトと前記現実物体の接近を検知した場合に、接近する前に比べて当該現実物体が容易に認識可能となるように前記仮想オブジェクトを表示制御する制御手段と、
を備えることを特徴とする情報処理装置。
【請求項３】
前記接近の検知前に比べて現実物体が容易に認識可能となるように前記仮想オブジェクトの表示形態を変更する表示形態変更手段と、
を備え、
前記制御手段は、前記表示形態変更手段で、前記接近の検知前に比べて現実物体が容易に認識可能となるように表示形態が変更された仮想オブジェクトの表示制御をすることを特徴とする請求項１又は２に記載の情報処理装置。
【請求項４】
前記制御手段は、前記表示形態変更手段で、前記接近の検知前に比べて現実物体が容易に認識可能となるように表示形態が変更された仮想オブジェクトの画像と現実画像が合成された合成画像を、前記表示装置に表示させるべく制御することを特徴とする請求項３に記載の情報処理装置。
【請求項５】
前記表示形態変更手段は、前記仮想オブジェクトの画像の一部又は全部の透明度を変更することを特徴とする請求項３又は４に記載の情報処理装置。
【請求項６】
前記表示形態変更手段は、前記現実物体同士、または仮想オブジェクトと現実物体との間の距離が小さいほど、前記仮想オブジェクトの画像の一部もしくは全部の透過度を大きくすることを特徴とする請求項３乃至５のいずれか１項に記載の情報処理装置。
【請求項７】
前記表示形態変更手段は、前記仮想オブジェクトの画像の一部又は全部の色を変更することを特徴とする請求項３乃至６のいずれか１項に記載の情報処理装置。
【請求項８】
前記表示形態変更手段は、現実物体の存否が認識可能となるよう仮想オブジェクトの表示形態を変更することを特徴とする請求項３乃至７のいずれか１項に記載の情報処理装置。
【請求項９】
前記仮想オブジェクトの位置の情報と、前記現実物体の位置の情報とを用いて、現実物体に重ねて表示される仮想オブジェクトを特定する特定手段と、
を備え、
前記制御手段は、前記特定手段により特定された当該現実物体と重ねて表示される仮想オブジェクトであって、当該現実物体が容易に認識可能となるように表示形態が変更された前記仮想オブジェクトを、前記表示装置に表示させるべく制御することを特徴とする請求項１乃至８のいずれか１項に記載の情報処理装置。
【請求項１０】
前記接近の検知前に比べて現実物体が容易に認識可能となるように、前記現実物体を示す新規オブジェクトを生成する新規オブジェクト生成手段と、
を備え、
前記制御手段は、前記新規オブジェクト生成手段により生成された新規オブジェクトを前記表示装置に表示させるべく制御することを特徴とする請求項１乃至９のいずれか１項に記載の情報処理装置。
【請求項１１】
前記新規オブジェクト生成手段は、前記現実物体の位置の情報を用いて、前記現実物体の位置が認識可能となる新規オブジェクトを生成することを特徴とする請求項１０に記載の情報処理装置。
【請求項１２】
３次元空間における仮想オブジェクトの位置の情報を用いて、表示装置に前記仮想オブジェクトを表示する情報処理装置の制御方法であって、
取得手段が、複数の現実物体の位置の情報を取得する取得工程と、
制御手段が、前記取得工程により取得された位置の情報に基づいて現実物体同士の接近を検知した場合に、接近する前に比べて当該現実物体の少なくとも１つが容易に認識可能となるように仮想オブジェクトを表示制御する制御工程と、
を含むことを特徴とする制御方法。
【請求項１３】
３次元空間における仮想オブジェクトの位置の情報を用いて、表示装置に前記仮想オブジェクトを表示する情報処理装置で実行が可能なプログラムであって、
前記情報処理装置を、
複数の現実物体の位置の情報を取得する取得手段と、
前記取得手段により取得された位置の情報に基づいて現実物体同士の接近を検知した場合に、接近する前に比べて当該現実物体の少なくとも１つが容易に認識可能となるように仮想オブジェクトを表示制御する制御手段として機能させるためのプログラム。
【請求項１４】
表示装置と、３次元空間における仮想オブジェクトの位置の情報を用いて、表示装置に前記仮想オブジェクトを表示する情報処理装置と、を含む情報処理システムであって、
複数の現実物体の位置の情報を取得する取得手段と、
前記取得手段により取得された位置の情報に基づいて現実物体同士の接近を検知した場合に、接近する前に比べて当該現実物体の少なくとも１つが容易に認識可能となるように仮想オブジェクトを表示制御する制御手段と、
を備えることを特徴とする情報処理システム。
【請求項１５】
３次元空間における仮想オブジェクトの位置の情報を用いて、表示装置に前記仮想オブジェクトを表示する情報処理装置の制御方法であって、
取得手段が、現実物体の位置の情報を取得する取得工程と、
前記仮想オブジェクトの位置の情報と、前記取得手段により取得された現実物体の位置の情報とに基づいて、前記仮想オブジェクトと前記現実物体の接近を検知した場合に、接近する前に比べて当該現実物体が容易に認識可能となるように前記仮想オブジェクトを表示制御する制御工程と、
を含むことを特徴とする制御方法。
【請求項１６】
３次元空間における仮想オブジェクトの位置の情報を用いて、表示装置に前記仮想オブジェクトを表示する情報処理装置で実行が可能なプログラムであって、
前記情報処理装置を、
現実物体の位置の情報を取得する取得手段と、
前記仮想オブジェクトの位置の情報と、前記取得手段により取得された現実物体の位置の情報とに基づいて、前記仮想オブジェクトと前記現実物体の接近を検知した場合に、接近する前に比べて当該現実物体が容易に認識可能となるように前記仮想オブジェクトを表示制御する制御手段として機能させるためのプログラム。
【請求項１７】
表示装置と、３次元空間における仮想オブジェクトの位置の情報を用いて、表示装置に前記仮想オブジェクトを表示する情報処理装置と、を含む情報処理システムであって、
現実物体の位置の情報を取得する取得手段と、
前記仮想オブジェクトの位置の情報と、前記取得手段により取得された現実物体の位置の情報とに基づいて、前記仮想オブジェクトと前記現実物体の接近を検知した場合に、接近する前に比べて当該現実物体が容易に認識可能となるように前記仮想オブジェクトを表示制御する制御手段と、
を備えることを特徴とする情報処理システム。
【手続補正２】
【補正対象書類名】明細書
【補正対象項目名】発明の名称
【補正方法】変更
【補正の内容】
【発明の名称】情報処理装置及びその制御方法及びプログラム、並びに、情報処理システム
【手続補正３】
【補正対象書類名】明細書
【補正対象項目名】０００１
【補正方法】変更
【補正の内容】
【０００１】
本発明は、情報処理装置及びその制御方法及びプログラム、並びに、情報処理システムに関する。
【手続補正４】
【補正対象書類名】明細書
【補正対象項目名】０００９
【補正方法】変更
【補正の内容】
【０００９】
例えば本発明の情報処理装置は以下の構成を備える。すなわち、
３次元空間における仮想オブジェクトの位置の情報を用いて、表示装置に前記仮想オブジェクトを表示する情報処理装置であって、
複数の現実物体の位置の情報を取得する取得手段と、
前記取得手段により取得された位置の情報に基づいて現実物体同士の接近を検知した場合に、接近する前に比べて当該現実物体の少なくとも１つが容易に認識可能となるように仮想オブジェクトを表示制御する制御手段と、
を備えることを特徴とする。